(57)【要約】      （修正有）【課題】より掃除や取り換えの手間を削減できる便座ガードを提供する。【解決手段】便座ガード１は、便座Ｓの裏側において便座Ｓに固定するための複数の固定部２と、便座Ｓに沿って複数の固定部２を接続するとともに便器と便座Ｓの間を覆う遮蔽部４を備えた接続部３と、を備えたものである。固定部２は、便座Ｓの側部を挟み込む一対の引掛部２１と、この一対の引掛部２１を接続する接触部２２と、を有するものであることが好ましい。接触部２２は、多数のスリット２２１が形成され伸縮可能であることが好ましい。複数の固定部２は、便座Ｓに形成される複数の突起部Ｂの間に配置されるものであり、固定部２の接触部２２の厚さは、突起部Ｂの厚さ以下となるよう形成されていることが好ましい。【選択図】図１
0003231066.tif 000002
【実用新案登録請求の範囲】
【請求項１】
便座裏側において前記便座に固定するための複数の固定部と、
前記便座に沿って複数の前記固定部を接続する接続部と、
前記固定部及び前記接続部の少なくともいずれかに配置され、便器と前記便座の間を覆う遮蔽部を備えた便座ガード。
【請求項２】
前記固定部は、便座の側部を挟み込む一対の引掛部と、この一対の引掛部を接続する接触部と、を有する請求項１記載の便座ガード。
【請求項３】
前記接触部は、多数のスリットが形成され伸縮可能である請求項２記載の便座ガード。
【請求項４】
複数の前記固定部は、前記便座に形成される複数の突起部の間に配置されるものであり、前記固定部の前記接触部の厚さは、前記突起部の厚さ以下となるよう形成されている請求項３記載の便座ガード。  
【請求項５】
前記複数の固定部は、粘着部材により便器の裏側に接着される請求項１記載の便座ガード。
【考案の詳細な説明】
【技術分野】
【０００１】
本考案は、便座ガードに関する。
【背景技術】
【０００２】
便器の上面に配置され、座る際に用いられる便座は、便器との直接肌が触れるのを防ぐ観点から非常に重要である。
【０００３】
一般に、便座は開閉可動となっており、使用者は、座って用を足す際、便器の上面にその突起部を接触させて便器の上に配置させ、この上に座る。
【０００４】
しかしながら、上記の通り、便座と便器の間には突起部が設けられており、５〜１０ｍｍ程度の隙間が生じてしまっており、使用によって、この隙間から尿が漏れしまう場合があるといった問題がある。
【０００５】
この課題に対し、便器側の上部縁に吸収性のあるポリエステル等のパットを張り付ける技術等がある。
【考案の概要】
【考案が解決しようとする課題】
【０００６】
しかしながら、上記パットに関する技術では、頻繁に掃除や取り換えを行う必要があり、改善の余地が残る。
【０００７】
そこで、本考案は上記課題に鑑み、より掃除や取り換えの手間を削減できる便座ガードを提供することを目的とする。
【課題を解決するための手段】
【０００８】
本考案者らは、上記課題について鋭意検討を行ったところ、便器側ではなく便座側において尿漏れ等を防ぐことで、掃除や取り換えを防ぐことができる点に着目して本考案を完成させるに至った。
【０００９】
すなわち、本考案の一観点に係る便座ガードは、便座裏側において便座に固定するための複数の固定部と、便座に沿って複数の固定部を接続する接続部と、固定部及び接続部の少なくともいずれかに配置され、便器と便座の間を覆う遮蔽部を備えたものである。
【００１０】
また、本観点において、限定されるわけではないが、固定部は、便座の側部を挟み込む一対の引掛部と、この一対の引掛部を接続する接触部と、を有するものであることが好ましい。
【００１１】
また、本観点において、限定されるわけではないが、接触部は、多数のスリットが形成され伸縮可能であることが好ましい。
【００１２】
また、本観点において、限定されるわけではないが、複数の固定部は、便座に形成される複数の突起部の間に配置されるものであり、固定部の接触部の厚さは、突起部の厚さ以下となるよう形成されていることが好ましい。
【考案の効果】
【００１３】
以上、本考案によって、より掃除や取り換えの手間を削減できる便座ガードを提供することができる。
【図面の簡単な説明】
【００１４】
【図１】便座を裏側から見た場合の本実施形態に係る便座ガードの概略図である。
【図２】図１におけるＡ−Ａ’断面図である。
【図３】他の実施形態に係る便座ガードの概略図である。
【図４】図３におけるＡ−Ａ’断面図である。
【図５】他の実施形態における便座ガードの図である。
【考案を実施するための最良の形態】
【００１５】
以下、本考案について図面を用いて詳細に説明する。ただし、本考案は様々な形態による実施が可能であり、以下に示す実施形態に記載の具体的な例示にのみ限定されるわけではない。
【００１６】
（実施形態１）
図１は、便座を裏側から見た場合の本実施形態に係る便座ガードの概略図であり、図２は、図１における側面図及びＡ−Ａ’断面図である。
【００１７】
これらの図から示すように、本実施形態に係る便座ガード１は、便座Ｓの裏側において便座Ｓに固定するための複数の固定部２と、便座Ｓに沿って複数の固定部２を接続する接続部３と、固定部２及び接続部３の少なくともいずれかに配置され、便器と便座の間を覆う遮蔽部４を備えるものである。
【００１８】
本便座ガード１は、従来の便器Ｖ側ではなく、この上部縁を覆う便座側に付される点が特徴的である。便座Ｓの裏側に付されて便座Ｓとともに遮蔽部４を有する便座ガード１を開閉可能とすることで、便器Ｖと便座Ｓの間の隙間を覆うことが可能となるだけでなく、本便座ガード１に尿などが付着してしまう恐れが格段に低くなる。このより詳細な内容及び効果については以後の記載から明らかとなる。
【００１９】
本便座ガード１の固定部２は、上記の通り、便座Ｓの裏側において便座Ｓに固定するための部分である。
【００２０】
本便座ガード１は、様々な材質によって構成することができる。ある程度の硬さと柔軟性を備えたものであることが好ましく、例えばゴムで構成することができるが、プラスチック（樹脂）等で構成されていることが軽量及び成型簡便な構成となるため好ましい。
【００２１】
本便座ガード１の固定部２において、固定部２は、便座Ｓの側部を挟み込む一対の引掛部２１と、この一対の引掛部２１を接続する接触部２２と、を有するものであることが好ましい。
【００２２】
また、固定部２は、複数設けられることが好ましく、少なくとも２以上あることが好ましく、より好ましくは３以上である。２以上配置することで、両端に配置し、安定的に固定することが可能となり、また、３以上とすることでバランスが良くなる。一般的な便座Ｓの場合、突起部Ｂは左右対称かつ均等に間隔を空けて配置されている。そのため、中心部分の間隙に一つ、突起部Ｂを挟んでそれぞれ一つ設け、合計３個配置することが現実的である。この意味において、固定部２（より具体的には接触部２２）の幅は、突起部Ｂの間隔以下である必要があり、より具体的には１０ｃｍ以下であることが好ましい。
【００２３】
一対の引掛部２１は、接触部２２から（便座Ｓ側に）立ち上がり、突起状となっており、一対の引掛部２１の間に便座Ｓの側部を挟み込むことで固定部２を安定的に固定することが可能となる。なお、引掛部２１を設けない場合は、接着性のある部材によって直接便座Ｓの裏側と固定部２とを接着させることとしてもよい。
【００２４】
本便座ガード１において接触部２２は、便座Ｓの裏側に対し接触させて密着させるための部であるが、上記一対の引掛部２１を設ける場合はこれらの間を接続するための部材としても機能する。特に本便座ガードにおいて接触部２２は、便座Ｓの裏側に対して接触させるものであるため、便器Ｖの上部縁にパットを配置する場合に比べ、尿が付着するおそれは格段に低くなる。この結果、清掃の頻度を大幅に下げることが可能となる。
【００２５】
また、この場合において、接触部２２は、伸縮可能であることが好ましい。具体的には、引掛部２１によって便座Ｓを挟み込む場合において、挟む前は縮小した状態、挟む際は伸びた状態となることで、この引っ張り力を便座Ｓに対する保持力とすることができるようになる。この伸縮可能とするための構成については特に限定されるわけではないが、多数のスリット２２１が形成されたものとなっていることが好ましい。  スリット２２１を形成することで、材質を比較的硬質なプラスチックで構成したとしても伸縮性を持たせることが可能となるといった利点がある。本図の例では細長の孔をスリットとして用いている例を示しているが、このスリット２２１の形状は丸であっても、四角形状であってもよい。
【００２６】
また、本観点において、複数の固定部２は、便座Ｓに形成される複数の突起部Ｂの間に配置されるものであって、固定部２の接触部２２の厚さは、突起部Ｂの厚さ以下となるよう形成されていることが好ましい。このようにすることで、便座Ｓを便器Ｖの上に配置した場合に、浮き上がってしまうことがない。
【００２７】
また、本便座ガード１の接続部３は、上記の通り、便座Ｓに沿って複数の固定部２を接続するものである。接続部３は、直線的に固定部２を接続することとしてもよいが、便座Ｓの形状に沿わせて配置できるよう、予め便座の曲線に合わせて曲線となっている、又は、撓ませることができるよう可撓性のあるゴムやプラスチック（樹脂）等で構成されていることが好ましい。
【００２８】
また接続部３及び固定部２の少なくともいずれかには、便器Ｖと便座Ｓの間隙を覆う遮蔽部４を備える。遮蔽部４を備えることで、便器Ｖと便座Ｓの間隙を覆うことが可能となり、この間から尿等の漏れを防止することが可能となる。そして、従来のパットとは異なり、この遮蔽部４を拭くのみで清潔な状態を維持することが可能となる。
【００２９】
また、この遮蔽部４は、特に、固定部２１の便座Ｓの内側の引掛部２１の下側においても設けられていることが好ましく、更には接続部３の下側にも形成されていることもより好ましい。このようにすると、本便座ガード１が配置されている範囲全体にも配置することができるようになる。従来のパットでは突起部Ｂに配置することができなかったが、このようにすると突起部Ｂが存在する位置においても遮蔽部４を設けることができるといった利点がある。
【００３０】
以上、本便座ガードによって、汚れにくく、より掃除や取り換えの手間を削減できるようになる。
【００３１】
（実施形態２）
本実施形態に係る便座ガード（以下「本便座ガード」という。）は、ほぼ実施形態１と同様であるが、便座に対する固定方法が異なる。図３〜５は、本便座ガードの概略を示す図である。図３は、本便座ガードを付した便器の平面及び底面図であり、図４は、図３中のＡ−Ａ’の一部断面図である。また、図５は、本便座ガードを便座から外した状態の図であって、（ａ）は平面図を、（ｂ）は右側面図を、（ｃ）はＡ−Ａ’で切断した場合の断面図をそれぞれ示す。
【００３２】
本実施形態においては、異なる部分のみ詳細に説明するが、これ以外の構成については上記実施形態１と同様であるため説明は省略する。
【００３３】
本便座ガードは、複数の固定部２は、粘着部材により便器の裏側に接着される構成を採用しており、便座の外側に設けられる引掛部２１を設けていない点が特徴である。一対の引掛部を設ける場合は、その便座に合わせて引掛ける必要がある一方、粘着テープ等の粘着部材により接着させることで、引掛部を設ける必要が無く、便座のサイズを考慮する必要がなくなるといった利点がある。特に引掛部２１を便座外側に設けることがないため、不要な出っ張りが無く、見た目の違和感も少なくなるといった効果もある。
【００３４】
以上、本便座ガードによっても、汚れにくく、より掃除や取り換えの手間を削減できるようになる。
【産業上の利用可能性】
【００３５】
本考案は、本便座ガードとして産業上の利用可能性がある。
【図１】
0003231066.tif 000003
【図２】
0003231066.tif 000004
【図３】
0003231066.tif 000005
【図４】
0003231066.tif 000006
【図５】
0003231066.tif 000007